(57)【要約】【課題】タンディッシュポット内孔面５１への地金の付着を防止すると共に、鋳造終了後に容易に除去でき、タンディッシュポット５０の再使用を可能とするタンディッシュポット嵌着用スリーブおよびそれを備えたタンディッシュポットを提供する。【解決手段】本発明のタンディッシュポット嵌着用スリーブ１は、タンディッシュポット５０の内孔面５１の内側に嵌着される筒状体２であって、筒状体２は易崩壊性耐火物にて形成されている。【選択図】図２
2012166253.tif 000002
【特許請求の範囲】
【請求項１】
タンディッシュポットの内孔面の内側に取替可能に嵌着される筒状体であって、該筒状体は易崩壊性耐火物にて形成されていることを特徴とするタンディッシュポット嵌着用スリーブ。
【請求項２】
前記易崩壊性耐火物は、硅砂４０〜８５重量％、長石０〜１５重量％、パルプ５〜２０重量％、成形性保持用ファイバー５〜２０重量％、バインダー５〜１０重量％の配合で混練し焼成された耐火物である請求項１に記載のタンディッシュポット嵌着用スリーブ。
【請求項３】
前記易崩壊性耐火物は、ＳｉＯ２：７０．０〜８３．０重量％、Ｉｇ．Ｌｏｓｓ：１０．０〜１５．０重量％、Ａｌ２Ｏ３：１．０〜８．０重量％、Ｒ２Ｏ：０．５〜５．０重量％を有する配合で混練し焼成された耐火物である請求項１に記載のタンディッシュポット嵌着用スリーブ。
【請求項４】
前記請求項１ないし３のいずれかのタンディッシュポット嵌着用スリーブを内孔面の内側に取替可能に嵌着したことを特徴とするタンディッシュポット。
【発明の詳細な説明】
【技術分野】
【０００１】
本発明は、取鍋内の金属溶湯をタンディッシュに注入する際に使用して好適なタンディッシュポット嵌着用スリーブおよびそれを備えたタンディッシュポットに関するものである。
【背景技術】
【０００２】
従来より、取鍋内の金属溶湯をタンディッシュに注入する際、図３に示すように、タンディッシュ蓋３１に固定され、タンディッシュ３０内に下部が浸漬されるタンディッシュポット４０（実公平２−１７７３４号公報）が使用されている。
【０００３】
ところで、鋼等の連続鋳造においては取鍋底部に配設されたスライディングノズル３２の開度等により、コレクターノズル３３よりタンディッシュポット４０内に注入される金属溶湯が飛散しタンディッシュポット４０の内孔面４０ａに多量の地金が付着するため、タンディッシュポット３０の再使用が困難となり一回の使用で廃却していた。
【先行技術文献】
【特許文献】
【０００４】
【特許文献１】実公平２−１７７３４号公報
【発明の概要】
【発明が解決しようとする課題】
【０００５】
そこで、本発明の課題は、タンディッシュポット内孔面への地金の付着を防止すると共に、鋳造終了後に容易に崩壊させて除去でき、タンディッシュポットの継続使用を可能とし耐用寿命を延長できるタンディッシュポット嵌着用スリーブおよびそれを備えたタンディッシュポットを提供することにある。
【０００６】
上記課題を解決するものは、タンディッシュポットの内孔面の内側に取替可能に嵌着される筒状体であって、該筒状体は易崩壊性耐火物にて形成されていることを特徴とするタンディッシュポット嵌着用スリーブである。
【０００７】
また、上記課題を解決するものは、タンディッシュポットの内孔面の内側に嵌着される筒状体であって易崩壊性耐火物にて形成されたタンディッシュポット嵌着用スリーブを取替可能に嵌着したことを特徴とするタンディッシュポットである。
【０００８】
前記易崩壊性耐火物は、硅砂４０〜８５重量％、長石０〜１５重量％、パルプ５〜２０重量％、成形性保持用ファイバー５〜２０重量％、バインダー５〜１０重量％の配合で混練し焼成された耐火物であることが好ましい。また、前記易崩壊性耐火物は、ＳｉＯ２：７０．０〜８３．０重量％、Ｉｇ．Ｌｏｓｓ：１０．０〜１５．０重量％、Ａｌ２Ｏ３：１．０〜８．０重量％、Ｒ２Ｏ：０．５〜５．０重量％を有する配合で混練し焼成された耐火物であることが好ましい。
【発明の効果】
【０００９】
請求項１に記載したタンディッシュポット嵌着用スリーブによれば、タンディッシュポット内孔面への地金の付着を防止すると共に、鋳造終了後に容易に崩壊させ除去できるため、タンディッシュポットの継続使用を可能とし耐用寿命を延長できる。
請求項２または３に記載したタンディッシュポット嵌着用スリーブによれば、請求項１の効果をより確実に奏する易崩壊性耐火物を構成できる。
請求項４に記載したタンディッシュポットによれば、タンディッシュポット嵌着用スリーブによってタンディッシュポット内孔面への地金の付着を防止できると共に、鋳造終了後にタンディッシュポット嵌着用スリーブを容易に崩壊させて除去でき、タンディッシュポットの継続使用を可能とし耐用寿命を延長できる。
【図面の簡単な説明】
【００１０】
【図１】本発明のタンディッシュポット嵌着用スリーブの一実施例の縦断面図である。
【図２】本発明のタンディッシュポットの一実施例の縦断面図である。
【図３】タンディッシュポットの使用方法を説明するための縦断面図である。
【発明を実施するための形態】
【００１１】
本発明では、タンディッシュポット５０の内孔面５１の内側に、易崩壊性耐火物にて形成されたタンディッシュポット嵌着用スリーブ１を嵌着し、タンディッシュポット内孔面５１への地金の付着を防止すると共に、鋳造終了後にタンディッシュポット嵌着用スリーブ１を崩壊させタンディッシュポット５０から除去することで、タンディッシュポット５０の継続使用を可能とし耐用寿命の延長を実現した。
【実施例１】
【００１２】
本発明のタンディッシュポット嵌着用スリーブおよびタンディッシュポットを図１または図２に示した一実施例を用いて説明する。
この実施例のタンディッシュポット嵌着用スリーブ１は、タンディッシュポット５０の内孔面５１の内側に取替可能に嵌着される筒状体２であって、筒状体２は易崩壊性耐火物にて形成されている。また、タンディッシュポット５０は、タンディッシュポット嵌着用スリーブ１を内部に取替可能に嵌着したタンディッシュポットである。以下、各構成について順次詳述する。
【００１３】
タンディッシュポット嵌着用スリーブ１は、図１に示すように、上部にフランジ３を備えており、タンディッシュポット５０への嵌着に際しては、図２に示すように、タンテッシュポット５０の上端開口周縁部５２にこのフランジ３を載置することにより嵌着可能に構成されている。なお、嵌着用スリーブのタンディシュポットへの嵌着は耐火モルタルを使用しても良いし、また、フランジを設けず嵌着用スリーブをタンディシュポットの内孔面に耐火モルタルのみで嵌着してもよい。
【００１４】
タンディッシュポット嵌着用スリーブ１の筒状体２は上端および下端が開口した円筒体に構成されており、タンディッシュポット５０の内孔面５１の内側に嵌着可能となるよう、タンディッシュポット５０の内径より若干小さい外径を有している。
【００１５】
タンディッシュポット嵌着用スリーブ１の筒状体２の高さは、タンディッシュポット５０の内孔面５１を被覆可能とするために、タンディッシュポット５０と略同一に形成されている。
【００１６】
なお、この実施例の筒状体２は一体成形物であるが、これに限定されるものではなく、複数に分割されたものが組み合わされて構成されていてもよい。
【００１７】
タンディッシュポット嵌着用スリーブ１の筒状体２の内径は下方に向かって拡径しており、筒状体２の内面形状は下方に向かって幅広となるテーパー面に形成されている。これにより、タンディッシュポット嵌着用スリーブ１の内面への地金の付着がより抑制される。
【００１８】
タンディッシュポット嵌着用スリーブ１を構成する筒状体２は、易崩壊性耐火物にて形成されている。なお、本願で言う「易崩壊性耐火物」とは、ハンマーで軽く叩く程度で分断する耐火物を言う。
【００１９】
筒状体２を構成する易崩壊性耐火物として他の性質としては、熱伝導率が低く地金が付着しづらいこと、軽量で取り扱いが容易であること、タンディッシュポット５０の材質に対して難付着性を有することが好ましく、例えば、製鋼造塊法の上注ぎ及び下注ぎ鋳造法に使用するインゴットの上部内表面に使用していた押枠材などの軽量耐火物が好適に使用できる。
【００２０】
具体的には、この実施例の易崩壊性耐火物は、硅砂４０〜８５重量％、長石０〜１５重量％、パルプ５〜２０重量％、成形性保持用ファイバー（例えばスラグウール）５〜２０重量％、バインダー（レジン）５〜１０重量％の配合で混練し焼成された耐火物であり、焼成時にパルプが焼失して内部に多数の空隙が形成された多孔質体であり、２００℃における熱伝導率０．が０．０８〜０．１９ｋｃａｌ／ｍ．ｈｒ．で、カサ比重０．７０〜１．０５ｇ／ｃｃである。
【００２１】
より具体的には、この実施例の易崩壊性耐火物は、硅砂６５重量％、パルプ１３重量％、スラグウール１５重量％、レジン７重量％の配合で混練し焼成された耐火物であり、２００℃における熱伝導率０．が０．１０ｋｃａｌ／ｍ．ｈｒ．で、カサ比重０．９ｇ／ｃｃである。
【００２２】
なお、このような易崩壊性耐火物は、化学成分値で表すと、ＳｉＯ２：７０．０〜８３．０重量％、Ｉｇ．Ｌｏｓｓ：１０．０〜１５．０重量％、Ａｌ２Ｏ３：１．０〜８．０重量％、Ｒ２Ｏ：０．５〜５．０重量％を有する配合で混練し焼成された耐火物である。
【００２３】
以上のように、タンディッシュポット嵌着用スリーブ１がタンディッシュポット５０内に嵌着され、タンディッシュポット５０の内孔面５１が被覆されることにより、タンディッシュポット内孔面５１への地金の付着が防止される。
【００２４】
そして、鋳造後には、タンディッシュポット嵌着用スリーブ１をハンマーなどで破壊して付着しは地金と共に、容易にタンディッシュ５０より除去することができ、タンディッシュ５０に新たにタンディッシュポット嵌着用スリーブ１を嵌着してタンディッシュ５０を再使用することができる。
【符号の説明】
【００２５】
１      タンディッシュポット嵌着用スリーブ
２      筒状体
３      フランジ
５０    タンディッシユポット
５１    内孔面
５２    上端開口周縁部
【図１】
2012166253.tif 000003
【図２】
2012166253.tif 000004
【図３】
2012166253.tif 000005